(57)【特許請求の範囲】
【請求項１】
それぞれが前壁部、後壁部、側壁部、底壁部を有する、主引出しおよび内引出しを備えた引出しであって、前記内引出しの前記前壁部が、前記主引出しの前記後壁部よりも後方側へ移動することを規制するための移動規制部を備え、
前記移動規制部は、少なくとも前記内引出しの前記底壁部に取り付けられたストッパーと、前記主引出しの前記後壁部と、により構成されており、
ストッパーは水平部と垂直部とを備え、水平部が前方に位置し、水平部の後方に垂直部が設けられ、水平部が内引出しの底壁部の下面に固定され、垂直部に緩衝材が取り付けられており、垂直部は、緩衝材が前記主引出しの後壁部に当接する位置になるように設けられており、
前記内引出しと前記主引出しとは、共に引出すことが可能なように、前記内引出しと前記主引出しとを連結するための連結部材を備えており、
連結部材は、主引出し連結部と内引出し連結部とからなり、主引出し連結部は、前記主引出しの後壁部に固定され、内引出し連結部は、前記内引出しの底壁部の後端部下面に台座を介して取り付けられていることを特徴とする引出し。
【請求項２】
前記主引出しの前記後壁部の高さ寸法は、前記主引出しの前記側壁部の高さ寸法よりも大きく設定されていることを特徴とする請求項１に記載の引出し。
【請求項３】
内引出し付きの引出しを備えたキャビネットであって、前記引出しとして請求項１から２のいずれかが用いられていることを特徴とするキャビネット。
【発明の詳細な説明】
【技術分野】
【０００１】
本発明は、キッチンなどに用いられる引出しおよび該引出しを備えたキャビネットに関するものである。
【背景技術】
【０００２】
従来、キッチンなどに用いられる内引出し付き引出しを備えたキャビネットが知られている。このような従来のキャビネットの一例を図４（ａ）、（ｂ）に示す。このキャビネット４１は、図４（ａ）に示すように、主引出し４２と内引出し４３を、それぞれ引き出したり、図４（ｂ）に示すように、キャビネット４１内に押し込んだりすることのできる構成である。
【０００３】
なお、主引出しと内引出しに互いに係合する係合部材を設け、主引出しと内引出しを係合して共に引き出し可能とし、係合を解除してそれぞれ独立して引き出し、押し込みを可能とする構成が知られている（特許文献１、２参照）。
【０００４】
さらに、キャビネットに配設された引出しと、 引出しの上部空間内に配設された内引出しと、を備え、内引出しは、引出しの、例えば後端部にマグネットなどから成る係止手段により係止されて、 引出しの引き出し動作に連動して引き出し可能に配設されると共に、係止手段の係止状態が解除された際に引出しとは別体で引き出し可能に配設された構成が知られている（特許文献３、４参照）。
【先行技術文献】
【特許文献】
【０００５】
【特許文献１】特開２０１１−０９２２２７号公報
【特許文献２】特開２０１２−２４５３１１号公報
【特許文献３】特開２００８−０００１５６号公報
【特許文献４】特開２００９−０６１１２０号公報
【発明の概要】
【発明が解決しようとする課題】
【０００６】
図４に示すような従来のキャビネット４１では、図４（ａ）に示すように、主引出し４２と内引出し４３を引き出した後に、収納物を主引出し４２に収納するためには、内引出し４３が主引出し４２の邪魔にならないように、図４（ｂ）に示すように、内引出し４３をキャビネット４１内に押し込む必要がある。
【０００７】
しかしながら、このように、内引出し４３をキャビネット４１内に押し込むと、図４（ｂ）に示すように、内引出し４３がキャビネット４１内で最奥側まで戻ってしまう。このような状態で、内引出し４３から収納物を取り出したり収納するために、内引出し４のみを再度、引き出そうとすると、手を掛けるべき内引出し４３の前壁部がキャビネット４１の奥方に入り込みすぎて、使用者は手を掛けるべき内引出し４３の前壁部を手探りで探さなくてはならず、内引出し４３の引き出し難いという問題がある。
【０００８】
本発明は、上記従来の問題を解決することを目的とし、主引出しを開いた状態で、内引出しをキャビネット内に押し込んでから、内引出しの前壁部に手を掛けて、内引出しを引き出し易いように、内引出しをキャビネット内の最奥側まで押し込むことを防止する、使い勝手の良い引出しおよび該引出しを備えたキャビネットを実現することを課題とする。
【課題を解決するための手段】
【０００９】
本発明は上記課題を解決するために、それぞれが前壁部、後壁部、側壁部、底壁部を有する、主引出しおよび内引出しを備えた引出しであって、前記内引出しの前記前壁部が、前記主引出しの前記後壁部よりも後方側へ移動することを規制するための移動規制部を備え、前記移動規制部は、少なくとも前記内引出しの前記底壁部に取り付けられたストッパーと、前記主引出しの前記後壁部と、により構成されており、ストッパーは水平部と垂直部とを備え、水平部が前方に位置し、水平部の後方に垂直部が設けられ、水平部が内引出しの底壁部の下面に固定され、垂直部に緩衝材が取り付けられており、垂直部は、緩衝材が前記主引出しの後壁部に当接する位置になるように設けられており、前記内引出しと前記主引出しとは、共に引出すことが可能なように、前記内引出しと前記主引出しとを連結するための連結部材を備えており、連結部材は、主引出し連結部と内引出し連結部とからなり、主引出し連結部は、前記主引出しの後壁部に固定され、内引出し連結部は、前記内引出しの底壁部の後端部下面に台座を介して取り付けられていることを特徴とする引出しを提供する。
【００１１】
主引出しの後壁部の高さ寸法は、主引出しの側壁部の高さ寸法よりも大きく設定されていることが好ましい。
【００１３】
内引出し付きの引出しを備えたキャビネットであって、引出しとして上記の構成を選択的又は全て備えていることが好ましい。
【発明の効果】
【００１４】
本発明によれば、主引出しを開いた状態で、内引出しをキャビネット内に押し込むと、移動規制部によって、内引出しは、主引出しの後壁部よりも後方側への移動が規制され、キャビネット内の奥まで移動することがないので、再度、手を掛けて引き出し易くなり、使い勝手が良い。
【図面の簡単な説明】
【００１５】
【図１】本発明に係る引出しおよび該引出しを備えたキャビネットの実施例を説明する図であり、（ａ）は引出しが閉じた状態の全体構成を示し、（ｂ）は（ａ）の要部Ｂの拡大図であり、（ｃ）は（ａ）の要部Ｃの拡大図である。
【図２】上記実施例の引出しおよびキャビネットの作用を説明する図であり、（ａ）は主引出しおよび内引出しを共に開く状態を示し、（ｂ）は内引出しのみ閉じる状態を示す図である。
【図３】上記実施例の引出しおよびキャビネットの作用を説明する図であり、（ａ）は内引出しを主引出しの後壁部に当接するまで閉じた状態を示し、（ｂ）は（ａ）の要部Ｂの拡大図である。
【図４】従来の引出しおよびキャビネットの問題を説明する図であり、（ａ）は主引出しおよび内引出しを共に開く状態を示し、（ｂ）は内引出しのみ閉じる状態を示す図である。
【発明を実施するための形態】
【００１６】
本発明に係る引出しおよび該引出しを備えたキャビネットを実施するための形態を実施例に基づき図面を参照して、以下説明する。本明細書では、引出しおよびキャビネットを正面視したときに、手前側を前方とし、奥側を後方とし、左右方向を横幅方向とする。
【実施例】
【００１７】
本発明に係る引出しおよび該引出しを備えたキャビネットの実施例を図１〜３において説明する。本発明の実施例の引出しおよび該引出しを備えたキャビネット１は、図１〜３に示すように、主引出し２と、その上方に配置された内引出し３とを有する。
【００１８】
主引出し２と内引出し３は、主引出し連結部６と内引出し連結部７とから成る連結部材８によって、連結した状態で引き出すこともできるし、連結しないで、個々に引き出すことも、またキャビネット１内に押し込むことも可能である。
【００１９】
例えば、主引出し連結部６と内引出し連結部７が閉じた状態から主引出し２を前方に引き出す際に、連結部材８によって、内引出し３も共に連結した状態で引き出すことができる。場合によっては、主引出し２と内引出し３の連結が解除された状態で、それぞれキャビネット１内に入り込んだ状態から、主引出し２のみを引き出すこともできる。
【００２０】
また、主引出し２と内引出し３が共に開いた状態から、連結部材８による連結を解除して、内引出し３のみを独立してキャビネット１内に押し込んで閉じることができる。さらに、内引出し３のみが閉じられた状態から、内引出し３を再度、引き出して開くことができる。
【００２１】
主引出し２は、図１（ａ）に示すように、前壁部１１、後壁部１２、左右の両側壁部１３および底壁部１４を有する。主引出し２の後壁部１２は、その高さ寸法は、主引出し２の側壁部１３の高さ寸法よりも大きく設定されている。
【００２２】
これによって、後壁部１２を、詳細な後記するが、その後面に設けた後記する緩衝材３０を介して内引出し３のストッパー２７と当接可能とし、後壁部１２とストッパー２７とが、移動規制部３３を構成する。
【００２３】
後壁部１２は、図１（ｃ）に示すように、後壁部１２の後面に、主引出し連結部６がビスなどで固定されている。本実施例では、主引出し連結部６は、金属板で形成され、後で詳記する内引出し連結部７として設けられるマグネットに吸着される。
【００２４】
内引出し３は、図１（ａ）に示すように、前壁部１８、後壁部１９、左右の両側壁部２０および底壁部２１を有する。そして、内引出し３には、図１（ｃ）に示すように、その底壁部２１の後端部の下面に台座２４を介して内引出し連結部７が取り付けられている。この内引出し連結部７は、主引出し連結部６である金属板に対面し吸着するマグネットである。
【００２５】
また、内引出し３には、図１（ｂ）に示すように、その底壁部２１の前端部の下面にストッパー２７が固定されている。ストッパー２７は、水平部２８と垂直部２９とを備え、側面視で┐型をしている。水平部２８がビスなどで底壁部２１の下面に固定され、垂直部２９の後面に緩衝材３０が取り付けられている。
【００２６】
垂直部２９は、主引出し２の後壁部１２の上端より下方まで延び、その後面に、緩衝材３０が主引出し２の後壁部１２と当接する位置に取り付けられている。内引出し３のストッパー２７と主引出し２の後壁部１２は、互いに当接し、内引出し３の前壁部１８が、主引出し２の後壁部１２より後方側に移動しないための移動規制部３３を構成している。
【００２７】
（作用）
以上の構成から成る実施例の引出しおよび該引出しを備えたキャビネット１の作用を、その使用方法などを通して、以下に説明する。主引出し２を前方に引き出すと、主引出し連結部６と内引出し連結部７が互いに吸着した連結状態で、図２（ａ）に示すように、内引出し３も前方に引き出される。
【００２８】
ここで、内引出し３に収納物品を収納して内引出し３のみを閉じる場合、或いは、主引出し２に収納物品を収納するために内引出し３のみを閉じる場合には、図２（ｂ）に示すように、内引出し３をキャビネット１内に押し込む。すると、図３（ａ）、（ｂ）に示すように、内引出し３のストッパー２７の垂直部２９は、緩衝材３０を介して、主引出し２の後壁部１２に衝突する。
【００２９】
この衝突の際に、緩衝材３０によって衝突が緩衝されることで、衝突音が低減され、衝突する部分の破損などが防止される。また、移動規制部３３を構成するストッパー２７と主引出し２の後壁部１２が互いに当接することによって、内引出し３の前壁部１８は、主引出２しの後壁部１２よりも後方側への移動が規制されるので、内引出し３はキャビネット１の奥まで移動しない。
【００３０】
特に、移動規制部３３は、主引出２しの後壁部１２を両側壁部２０より高く設定し、内引出し３にはストッパー２７を取り付けるだけでよいので、移動規制のための構成がシンプルである。
【００３１】
そのために、再度、使用者が内引出し３を前方に引き出して収納物品の収納や取り出しをする場合には、キャビネット１の内方に手を入れて手探りで内引出し３を引き出すなどの面倒がなくなり、引き出し易くなる。
【００３２】
従って、主引出し２から収納物を取り出したり、主引出し２内へ収納をした後に、内引出し３を引き出して、内引出し３に対する収納物の取り出しや収納がし易くなり、キャビネット１の使い勝手が良い。
【００３３】
そして、前方に引き出していた主引出し２を閉じるためにキャビネット１内に押し込むと、主引出し２の連結部６が、内引出し３の連結部７と吸着し、その後は連結した状態でキャビネット１内に押し込んで、主引出し２および内引出し３は、キャビネット１内に完全に入り込んだ状態で閉じることができる。
【００３４】
なお、本発明は、本実施例では連結部材を有する引出しで説明したが、これに限らず、連結部材を備えない引出し（例えば、図４に示す従来例に示す引出しなど）にも適用することもできる。
【００３５】
以上、本発明に係る引出しおよび該引出しを備えたキャビネットを実施するための形態を実施例に基づいて説明したが、本発明はこのような実施例に限定されるものではなく、特許請求の範囲に記載された技術的事項の範囲内でいろいろな実施例があることは言うまでもない。
【００３６】
例えば、ストッパーの取り付け位置は内引出しの前壁部の下方付近が好ましいものの、これに限定されるものではない。また、内引出しの前壁部を下方に伸ばして主引出しの後壁部とともに移動規制部を構成しても良いし、内引出しと主引出しの双方にストッパーを設ける構成としても良い。
【産業上の利用可能性】
【００３７】
本発明に係る引出しおよび該引出しを備えたキャビネットは上記のような構成であるから、キッチンの引出しおよびキャビネットだけでなく、その他各種の引出しおよびキャビネットにも適用可能である。
【符号の説明】
【００３８】
１  キャビネット               
２  主引出し                   
３  内引出し                   
６  主引出し連結部             
７  内引出し連結部             
８  連結部材                   
１１  前壁部                               
１２  後壁部                               
１３  左右の両側壁部                       
１４  底壁部                               
１８  前壁部                               
１９  後壁部                               
２０  左右の両側壁部                       
２１  底壁部                               
２４  台座                                 
２７  ストッパー                             
２８  水平部                               
２９  垂直部                               
３０  緩衝材
３３  移動規制部                             
４１  キャビネット                         
４２  主引出し                             
４３  内引出し
【図１】
0006622966.tif 000002
【図２】
0006622966.tif 000003
【図３】
0006622966.tif 000004
【図４】
0006622966.tif 000005